(57)【特許請求の範囲】
【請求項１】
投射用レンズの投射範囲内の投射位置データを含む投射状態データを検出するステップと、
前記投射状態データと予め記憶された所定投射状態の補正係数から投射状態に応じた色むら補正係数を計算するステップと、
映像信号に前記色むら補正係数を加えるステップと、
を有する投射用レンズの状態に対応した色むら補正方法。
【請求項２】
投射用レンズの投射範囲内の投射位置データを検出する第１の検出ステップと、
前記投射用レンズのズーム範囲内のズーミング位置データを検出する第２の検出ステップと、
前記投投射位置データおよびズーミング位置データと予め記憶された所定投射状態の補正係数から投射状態に応じた色むら補正係数を計算するステップと、
映像信号に前記色むら補正係数を加えるステップと、
を有する投射用レンズの状態に対応した色むら補正方法。
を有することを特徴とする投射用レンズの状態に対応した色むら補正方法。
【請求項３】
投射用レンズの投射状態データを検出するステップと、
前記投射状態データと、予め記憶された前記投射用レンズの投射範囲内の所定投射位置と前記所定投射位置に対応して投射用レンズのズーム範囲内の所定ズーミング位置における色むらを補正する補正係数と、から投射状態に応じた色むら補正係数を計算するステップと、
映像信号に前記色むら補正係数を加えるステップと、
を有する投射用レンズの状態に対応した色むら補正方法。
【請求項４】
前記投射状態に応じた色むら補正係数を計算するステップが、
前記所定投射位置と前記所定ズーミング位置における前記色むら補正係数から前記投射状態の投射位置とズーミング位置に対応する補正係数を補間値計算により求めることを特徴とする請求項３に記載の投射用レンズの状態に対応した色むら補正方法。
【請求項５】
予め投射用レンズの投射範囲内の所定投射位置と前記所定投射位置に対応して投射用レンズのズーム範囲内の所定ズーミング位置における色むらを補正する補正係数を記憶するステップと、前記投射用レンズの投射範囲内の投射位置データを検出する第１の検出ステップと、前記投射用レンズのズーム範囲内のズーミング位置データを検出する第２の検出ステップと、記憶されている前記所定投射位置と前記所定ズーミング位置における前記色むら補正係数から第１の検出された投射位置と第２の検出されたズーミング位置に対応する色むら補正係数を補間値計算により求めるステップと、前記補間値計算により得られた色むら補正係数を映像信号に加えるステップと、を有する投射用レンズの状態に対応した色むら補正方法。
【請求項６】
投射用レンズの投射状態データを検出する手段と、前記投射状態データと予め記憶された所定投射状態の補正係数から投射状態に応じた色むら補正係数を計算する手段と、映像信号に前記色むら補正係数を加える手段と、を有する投射用レンズの状態に対応した色むら補正装置。
【請求項７】
前記投射状態データを検出する手段が、前記投射用レンズの投射範囲内の投射位置データを検出する第１の検出手段と、前記投射用レンズのズーム範囲内のズーミング位置データを検出する第２の検出手段を有することを特徴とする請求項６に記載の投射用レンズの状態に対応した色むら補正装置。
【請求項８】
前記予め記憶された所定投射状態の補正係数が、前記投射用レンズの投射範囲内の所定投射位置と前記所定投射位置に対応して投射用レンズのズーム範囲内の所定ズーミング位置における色むらを補正する補正係数であることを特徴とする請求項６に記載の投射用レンズの状態に対応した色むら補正装置。
【請求項９】
前記投射状態に応じた色むら補正係数を計算する手段が、前記所定投射位置と前記所定ズーミング位置における前記色むら補正係数から前記投射状態の投射位置とズーミング位置に対応する補正係数を補間値計算により求めることを特徴とする請求項８に記載の投射用レンズの状態に対応した色むら補正装置。
【請求項１０】
予め投射用レンズの投射範囲内の所定投射位置と前記所定投射位置に対応して投射用レンズのズーム範囲内の所定ズーミング位置における色むらを補正する補正係数を記憶する手段と、前記投射用レンズの投射範囲内の投射位置データを検出する第１の検出手段と、前記投射用レンズのズーム範囲内のズーミング位置データを検出する第２の検出手段と、記憶されている前記所定投射位置と前記所定ズーミング位置における前記色むら補正係数から第１の検出された投射位置と第２の検出されたズーミング位置に対応する色むら補正係数を補間値計算により求める手段と、前記補間値計算により得られた色むら補正係数を映像信号に加える手段と、を有する投射用レンズの状態に対応した色むら補正装置。
【発明の詳細な説明】
【０００１】
【発明の属する技術分野】
本発明は映像投射装置の色むら補正に関し、特に投射用レンズの投射状態に対応した色むら補正方法とその装置に関する。
【０００２】
【従来の技術】
従来、映像投射装置の色むら補正は、投射用レンズをある状態に固定した状態で行われていた。しかし、実際の使用時に投射用レンズのズームや投射映像のシフト機能を使用して投射用レンズの状態を変化させると、色むらの状態も変化していた。
【０００３】
【発明が解決しようとする課題】
本発明の目的は以上の問題を解決する投射用レンズの投射状態に対応した色むら補正方法とその装置を提供することである。
【０００４】
【課題を解決するための手段】
本発明の投射用レンズの状態に対応した色むら補正方法は、投射用レンズの投射状態データを検出するステップと、投射状態データと予め記憶された所定投射状態の補正係数から投射状態に応じた色むら補正係数を計算するステップと、映像信号に色むら補正係数を加えるステップと、を有する。
【０００５】
また、投射状態データを検出するステップは、投射用レンズの投射範囲内の投射位置データを検出する第１の検出ステップと、投射用レンズのズーム範囲内のズーミング位置データを検出する第２の検出ステップを有することを特徴とする。
【０００６】
また、予め記憶された所定投射状態の補正係数は、投射用レンズの投射範囲内の所定投射位置と所定投射位置に対応して投射用レンズのズーム範囲内の所定ズーミング位置における色むらを補正する補正係数である。
【０００７】
さらに、投射状態に応じた色むら補正係数を計算するステップは、所定投射位置と所定ズーミング位置における色むら補正係数から投射状態の投射位置とズーミング位置に対応する補正係数を補間値計算により求めることを特徴とする。
【０００８】
さらにまた、本発明の投射用レンズの状態に対応した色むら補正方法は、予め投射用レンズの投射範囲内の所定投射位置と所定投射位置に対応して投射用レンズのズーム範囲内の所定ズーミング位置における色むらを補正する補正係数を記憶するステップと、投射用レンズの投射範囲内の投射位置データを検出する第１の検出ステップと、投射用レンズのズーム範囲内のズーミング位置データを検出する第２の検出ステップと、記憶されている所定投射位置と所定ズーミング位置における色むら補正係数から第１の検出された投射位置と第２の検出されたズーミング位置に対応する色むら補正係数を補間値計算により求めるステップと、補間値計算により得られた色むら補正係数を映像信号に加えるステップと、を有する。
【０００９】
本発明の投射用レンズの状態に対応した色むら補正装置は、投射用レンズの投射状態データを検出する手段と、投射状態データと予め記憶された所定投射状態の補正係数から投射状態に応じた色むら補正係数を計算する手段と、映像信号に色むら補正係数を加える手段と、を有する。
【００１０】
また、投射状態データを検出する手段は、投射用レンズの投射範囲内の投射位置データを検出する第１の検出手段と、投射用レンズのズーム範囲内のズーミング位置データを検出する第２の検出手段を有することを特徴とする。
【００１１】
また、予め記憶された所定投射状態の補正係数は、投射用レンズの投射範囲内の所定投射位置と所定投射位置に対応して投射用レンズのズーム範囲内の所定ズーミング位置における色むらを補正する補正係数であることを特徴とする。
【００１２】
さらに、投射状態に応じた色むら補正係数を計算する手段は、所定投射位置と所定ズーミング位置における色むら補正係数から投射状態の投射位置とズーミング位置に対応する補正係数を補間値計算により求めることを特徴とする。
【００１３】
さらにまた、本発明の投射用レンズの状態に対応した色むら補正装置は、予め投射用レンズの投射範囲内の所定投射位置と所定投射位置に対応して投射用レンズのズーム範囲内の所定ズーミング位置における色むらを補正する補正係数を記憶する手段と、投射用レンズの投射範囲内の投射位置データを検出する第１の検出手段と、投射用レンズのズーム範囲内のズーミング位置データを検出する第２の検出手段と、記憶されている所定投射位置と所定ズーミング位置における色むら補正係数から第１の検出された投射位置と第２の検出されたズーミング位置に対応する色むら補正係数を補間値計算により求める手段と、補間値計算により得られた色むら補正係数を映像信号に加える手段と、を有する。
【００１４】
【発明の実施の形態】
次に本発明の実施の形態について図面を参照して説明する。図１は本実施例の映像投射装置の構成を示すブロック図、図２は本実施例の動作を示すフローチャート、図３は本実施例の映像投射装置により投射された画面と投射レンズのシフト及びズーム量の関係を表す図、図４は図３の左上レンズシフト時の補正係数演算方法を一例として示すフローチャート図である。
【００１５】
図１を参照すると、本実施例の映像投射装置の色むら補正装置１は、投射用レンズのズーミング位置及び投射用レンズの投射位置であるシフト状態を検出するセンサー２と、予め決めたズーミング位置及び投射用レンズの投射位置の色むら補正係数を保存するメモリ部４と、映像信号にメモリ部４から得られた補正係数により補正を加えるＡＳＩＣ部５と、全体を制御するＭＰＵ部３を有している。なお、映像投射装置は投射用レンズ７と、液晶等の表示部６を有している。
【００１６】
投射用レンズ７のズーミング位置及び投射位置はセンサー２によって検出される。このセンサー２は例えばロータリーエンコーダや、光学式位置検出装置等で良い。ＭＰＵ部３はセンサー２により投射用レンズ７の投射状態を検出すると、その状態に適切な色むら補正係数を、メモリ部４から読み出した何種類かの標準的な色むら補正係数より演算し、ＡＳＩＣ部５に設定する。ＡＳＩＣ部５は、投射用レンズ７の投射状態に応じて設定された色むら補正係数に従って映像信号の補正を行う。
【００１７】
次に本実施例の動作について、図２の本実施例の動作を示すフローチャートを用いて説明する。
【００１８】
図２によれば、本実施例の色むら補正方法は、最初に、投射用レンズの左右・上下の投射範囲内の所定投射位置（例えば左上の最大シフト位置と中央位置との中間位置）と所定投射位置に対応して投射用レンズのズーム範囲内の所定ズーミング位置（例えば最大ズーミング位置とズーミングゼロとの中間ズーミング位置）における色むらを補正する補正係数を各所定位置について予め記憶して置く（ステップ１）。
【００１９】
次に投射用レンズを操作し、投射用レンズの投射範囲内の投射位置を設定し、投射位置データをセンサーにより検出する（ステップ２）。続いて、投射用レンズのズーム範囲内のズーミング位置を設定し、ズーミング位置データをセンサーにより検出する（ステップ３）。
【００２０】
検出された投射位置データとズーミング位置データから隣接する記憶されている所定投射位置と所定ズーミング位置における色むら補正係数によって検出された位置に対応する色むら補正係数を補間値計算により求める（ステップ４）。
【００２１】
次に、補間値計算により得られた色むら補正係数を映像信号に加え、色むらを自動的に補正する（ステップ５）。
【００２２】
次に本実施例の色むら補正係数の演算方法について、図３及び図４を用いて説明する。
【００２３】
図３によれば、映像投射装置により投射された画面と投射レンズのシフト及びズーム量の関係が示されている。例えば、図中のＡはレンズシフト量が０でズーム量が最小の画面、Ｃはレンズシフト量が０でズーム量が最大の画面を示している。図中のＤは左上レンズシフト量が最大でズームが最小の画面、Ｆは左上レンズシフト量が最大でズームが最大の画面を表している。同様に、図中のＧ，Ｈ，Ｉは右上レンズシフト量が最大時、図中のＪ、Ｋ、Ｌは右下レンズシフト量が最大時、図中のＭ、Ｎ、Ｏは左下レンズシフト量が最大時の画面を表している。レンズのシフト量及びズーム量に応じた色むら補正係数は、あらかじめ最低Ａ〜Ｏの１５画面か、またはそれ以上の画面の色むら補正係数を取得してメモリ部に保存しておき、その補正係数を図４のフローチャートに従って再演算して計算する。
【００２４】
図４は、図３の左上レンズシフト時の補正係数演算方法を一例として示している。最終的にＡＳＩＣ部に設定される色むら補正係数［Ｒ］は、レンズシフト量が０の時の色むら補正係数［Ｐ］とレンズシフト量が最大の時の色むら補正係数［Ｑ］との補間計算［Ｐ］〜［Ｑ］により求められる。例えば図３において、画面左上にある程度シフトさせズーム量がＡからＢの間であったとすると、［Ｐ］はあらかじめメモリ部に保存されている補正係数［Ａ］及び［Ｂ］より補間計算された補正係数［Ａ］〜［Ｂ］となり、［Ｑ］はあらかじめメモリ部に保存されている補正係数［Ｄ］及び［Ｅ］より補間計算された補正係数［Ｄ］〜［Ｅ］となって、［Ｒ］は［Ｐ］と［Ｑ］の補間計算［Ｐ］〜［Ｑ］の結果となる。
【００２５】
【実施例】
具体的な実施例として、例えば映像投射装置のメモリ部、ＡＳＩＣ部及びＭＰＵ部を共用することにより、既存の映像表示装置にセンサー部を取り付け、ＡＳＩＣ部及びＭＰＵ部のソフトウエアを追加、変更することにより実現できる。
【００２６】
【発明の効果】
本発明によれば、映像投射装置の映像投射状態の違いにより発生する色むらを自動的に補正できるという効果がある。
【００２７】
また、投射用レンズの投射状態を検出するセンサーを除き特別なハードウエアを不要とし、映像表示装置のＡＳＩＣ部及びＭＰＵ部のソフトウエアを追加、変更するだけで色むらを自動補正できるという効果がある。
【図面の簡単な説明】
【図１】本実施例の映像投射装置の構成を示すブロック図である。
【図２】本実施例の動作を示すフローチャートである。
【図３】本実施例の映像投射装置により投射された画面と投射レンズのシフト及びズーム量の関係を表す図である。
【図４】図３の左上レンズシフト時の補正係数演算方法を一例として示すフローチャート図である。
【符号の説明】
１    色むら補正装置
２    センサー
３    ＭＰＵ部
４    メモリ部
５    ＡＳＩＣ部
６    表示部
７    投射用レンズ
【図１】
0003616594.tif 000002
【図２】
0003616594.tif 000003
【図３】
0003616594.tif 000004
【図４】
0003616594.tif 000005